(57)【要約】【課題】  介護者が車椅子に座った要介護者を簡易に出入りさせることができるとともに、要介護者が車椅子に座った状態で安心して入浴することができる介護用浴槽の提供。【解決手段】  前扉１１を有する有底かつ上方開口型の浴槽ケース１内に、有底かつ上方開口型の内袋２が装着されており、前扉１１は、前扉１１と底板１４とを接合する接合部材１８により開閉自在とされ、前扉１１を全開すると、前扉１１の内面が案内面を形成し、内袋２には、浴槽ケースの前扉１１に対応する前面部２１の左右の辺２９，３０と、浴槽ケースの側板１２，１２に対応する左右の側面部２２，２３の前端辺との間に折り畳み部２５，２５が連接され、前扉１１を閉じるときには内袋２の折り畳み部２５を折り畳み、前扉１１を全開したときには折り畳み部２５を開くとともに前面部２５を前方へ倒して前記案内面上に敷設できるように構成されている。【選択図】      図１
2005205003.tif 000002
【特許請求の範囲】
【請求項１】
前扉、左右の側板および背板からなる周側板ならびに底板とで構成された、車椅子を収納可能な上方開口型の浴槽ケースと、この浴槽ケースの周側板と略同形の周側部を有する有底かつ上方が開口した、シート材からなる内袋とを備えるとともに、この内袋が前記浴槽ケース内に装着されてなる介護用浴槽であって、
前記浴槽ケースの前扉は、この前扉と前記底板とを接合する接合部材により開閉自在とされ、前記前扉を全開すると、前扉の内面が床面に対して段差のない案内面を形成するように構成されているとともに、
前記内袋には、前記浴槽ケースの前扉に対応する前面部の左右の辺と、前記浴槽ケースの側板に対応する左右の側面部との間に左右の折り畳み部が連接されており、前記浴槽ケースの前扉を閉じるときには前記折り畳み部を折り畳み、前記浴槽ケースの前扉を全開したときには前記折り畳み部を開くとともに前面部を前方へ倒すことによりこの前面部を前記案内面上に敷設できるように構成されている介護用浴槽。
【請求項２】
折り畳み部の一辺が前面部の高さに相当する略正方形であることを特徴とする請求項１に記載の介護用浴槽。
【請求項３】
浴槽ケースの周側板の外面には周方向に沿ってフックが設けられるとともに、内袋の周側部には周方向に沿って引掛け輪が設けられ、前記内袋の周側部を前記浴槽ケースの周側板の外面側へ折り返して前記引掛け輪を前記フックに引掛けることで、前記内袋が前記浴槽ケース内に着脱自在に装着されていることを特徴とする請求項１または請求項２に記載の介護用浴槽。
【請求項４】
引掛け輪が、内袋の周側部を構成する各面部の上部を外側に折り曲げて形成された帯状鍔部内に設けられていることを特徴とする請求項３に記載の介護用浴槽。
【請求項５】
シート材が、基布の表裏面を樹脂で被覆した複合シートからなることを特徴とする請求項１から請求項４のいずれかに記載の介護用浴槽。
【請求項６】
前扉が開閉可能な上方開口型の浴槽ケース内に装着して使用される介護用浴槽の内袋であって、
左右側面部および背面部が底面部の三方周囲に立設されるともに、底面部の前方辺に前面部が連接され、さらに前面部の左の辺と左側面部との間、および前面部の右の辺と右側面部との間にそれぞれ折り畳み部が連接されてなる介護用浴槽の内袋。
【発明の詳細な説明】
【技術分野】
【０００１】
本発明は、介護者が高齢者や身体障害者などの要介護者を入浴させるときに用いる介護用浴槽に関し、さらに詳しくは介護者が要介護者を車椅子に座らせた状態で出入りでき、入浴させることのできる介護用浴槽及びそれに用いる内袋に関する。
【背景技術】
【０００２】
従来、高齢者や身体障害者などの要介護者の入浴介護をするために用いられる介護用浴槽としては、例えば、介護者（ヘルパー）が、要介護者の背中を後ろ向きに傾斜させた状態で、専用の搬送車を用いて要介護者を専用の浴槽内に運び入れ、要介護者の背中を後ろ向きに傾斜させたまま浴槽内に湯を貯湯して入浴介護を行う浴槽が知られている。
【０００３】
しかしながら、要介護者は、日常使用している車椅子とは異なる搬送車に乗せられ、前記の姿勢で外観上通常の浴槽とは異なる機械的な形態をした専用の浴槽に運び込まれると、視界が主として上方だけになるため不安感が大きくなり、前記浴槽に入浴することに対して拒否反応を示すことが多く、また、前記浴槽は数百万から１千万とかなり高価なこともあってそれほど普及していないのが現状である。
【０００４】
そこで、前記問題点を解消した浴槽として、例えば、椅子を収納可能な大きさの袋体で構成され、前記袋体は、底板と側板とで上方開口型に形成するとともに、防水シートで折り畳み及び引き延ばし自在に形成し、袋体を引き延ばした状態で袋体内部に湯を収容できるように構成されている介護用浴槽が提案されている（特許文献１参照）。
【特許文献１】特開２００２−３６０６５４号公報
【発明の開示】
【発明が解決しようとする課題】
【０００５】
しかしながら、前記公報に記載されている浴槽は、介護者が要介護者を抱えて椅子に座らせて入浴させるものであり、従来に比べると介護者の作業負担が軽くなったとはいえるが、さらに介護者の作業負担の軽い浴槽が要望されていた。また、要介護者にとっては、安心して入浴するため、日常使用している車椅子に座ったまま浴槽に出入りして入浴したいという要望もあった。
【０００６】
本発明は前記問題点に鑑みてなされたものであり、その主たる目的は、介護者が車椅子に座った要介護者を簡易に浴槽に出入りさせることができるとともに、要介護者が車椅子に座った状態で安心して入浴することができる介護用浴槽及びそれに用いる内袋を提供することにある。
【課題を解決するための手段】
【０００７】
請求項１の介護用浴槽は、前扉、左右の側板および背板からなる周側板ならびに底板とで構成された、車椅子を収納可能な上方開口型の浴槽ケースと、この浴槽ケースの周側板と略同形の周側部を有する有底かつ上方が開口した、シート材からなる内袋とを備えるとともに、この内袋が前記浴槽ケース内に装着されてなる介護用浴槽であって、前記浴槽ケースの前扉は、この前扉と前記底板とを接合する接合部材により開閉自在とされ、前記前扉を全開すると、前扉の内面が床面に対して段差のない案内面を形成するように構成されているとともに、前記内袋には、前記浴槽ケースの前扉に対応する前面部の左右の辺と、前記浴槽ケースの側板に対応する左右の側面部との間に左右の折り畳み部が連接されており、前記浴槽ケースの前扉を閉じるときには前記折り畳み部を折り畳み、前記浴槽ケースの前扉を全開したときには前記折り畳み部を開くとともに前面部を前方へ倒すことによりこの前面部を前記案内面上に敷設できるように構成されていることを特徴とする。
【０００８】
請求項２の介護用浴槽は、請求項１の構成に加えて、折り畳み部の一辺が前面部の高さに相当する略正方形であることを特徴とする。
【０００９】
請求項３の介護用浴槽は、請求項１または請求項２に記載の構成に加えて、浴槽ケースの周側板の外面には周方向に沿ってフックが設けられるとともに、内袋の周側部には周方向に沿って引掛け輪が設けられ、前記内袋の周側部を前記浴槽ケースの周側板の外面側へ折り返して前記引掛け輪を前記フックに引掛けることで、前記内袋が前記浴槽ケース内に着脱自在に装着されていることを特徴とする。
【００１０】
請求項４の介護用浴槽は、請求項３に記載の構成に加えて、引掛け輪が、内袋の周側部を構成する各面部の上部を外側に折り曲げて形成された帯状鍔部内に設けられていることを特徴とする。
【００１１】
請求項５の介護用浴槽は、請求項１から請求項４のいずれかに記載の構成に加えて、シート材が、基布の表裏面を樹脂で被覆した複合シートからなることを特徴とする。
【００１２】
請求項６の介護用浴槽の内袋は、前扉が開閉可能な上方開口型の浴槽ケース内に装着して使用される介護用浴槽の内袋であって、左右側面部および背面部が底面部の三方周囲に立設されるともに、底面部の前方辺に前面部が連接され、さらに前面部の左の辺と左側面部との間、および前面部の右の辺と右側面部との間にそれぞれ折り畳み部が連接されてなることを特徴とする。
【発明の効果】
【００１３】
請求項１の介護用浴槽によれば、介護者が浴槽ケースの前扉を全開し、内袋の折り畳み部を開くとともに前面部を前方へ倒して前扉の内面に形成された案内面上に敷き、次いで要介護者が座っている車椅子を前記案内面に沿って押して要介護者を内袋の内部に運び込み、続いて内袋の折り畳み部を折り畳んでから浴槽ケースの前扉を閉じ、その後内袋に湯張りをするという一連の作業を行うことで、介護者は、車椅子に座った要介護者を簡易に浴槽内部に運び込むことができるとともに、前記と逆の作業を行うことで、介護者は、車椅子に座った要介護者を簡易に浴槽外部へ運び出すことができる。また、要介護者は、前記一連の作業により浴槽内部に運び込まれるので、車椅子に座った状態で安心して入浴することができる。
【００１４】
請求項２の介護用浴槽によれば、要介護者を内袋の内部に運んだ後において、内袋の前面部を垂直に起こしつつ、折り畳み部の前端上角部と後端下角部とを結ぶ対角線を折り目として内袋の外側へ向けて折り曲げ、このとき形成される三角形の二辺のうち、上下方向の辺を折り目として水平方向の辺を内袋の前面部の上辺と一致するように折り返すことにより、内袋の内部に貯湯した湯が内袋から漏れることを効果的に防止できる。
【００１５】
請求項３の介護用浴槽によれば、介護者が要介護者を内袋の内部へ運び込んだり、あるいは内袋の外へ運び出したりするときに行う、内袋の前面部の開閉作業が引掛け輪をフックに着脱するだけでできるので、介護者の作業負担が軽減される。
【００１６】
請求項４の介護用浴槽によれば、あらかじめ帯状鍔部が浴槽ケースの周側板の上端に載置され、前記帯状鍔部の端部が前記周側板の外側に突出しているので、引掛け輪をフックに引掛けるときの取付け作業性が向上する。
【００１７】
請求項５の介護用浴槽によれば、内袋に設けられた折り畳み部の折り畳み作業性を向上させることができる。
【００１８】
請求項６の内袋によれば、折り畳み部の開閉作業をするだけで介護者は要介護者を内袋に出入りさせることができるので、介護者の作業負担が軽減される。
【発明を実施するための最良の形態】
【００１９】
以下、本発明の実施の形態について図面を参照しつつ説明する。図１は、本発明の介護用浴槽の一例を示す外観斜視図であり、内袋２が浴槽ケース１内に収納されており、内袋２の周方向に沿って設けられた引掛け輪２７，２７・・・が、浴槽ケース１の外面周方向に沿って設けられたフック１４，１４，・・・に着脱自在に装着されている。また、浴槽ケース１の背板１３には取っ手１９が、浴槽ケース１の底板１４の下面４隅にはキャスター１７，１７・・・がそれぞれ取り付けられている。
【００２０】
図２は、図１の浴槽ケース１を示す外観斜視図であり、浴槽ケース１は、前扉１１、左右の側板１２，１２および背板１３が、ねじ、ボルト・ナットなどの締結部材（図示せず）により方形とされた周側板が、その下部にて前記締結部材により底板１４で塞がれてなる上方開口型の箱体を構成しており、前記周側板は車椅子を収納可能な大きさとされている。前扉１１、左右の側板１２，１２、背板１３および底板１４の材料は特に限定されず、例えば、木製、樹脂製また金属製の材料が挙げられ、これらは単独でまたは２種以上を組み合わせて用いられる。２種以上組み合わせて用いる例としては、例えば、下地に合板を用い、この合板の表裏面にメラミン系樹脂からなる化粧材を貼り合せて周側板や底板の面材とすることが挙げられる。
【００２１】
前扉１１は、この前扉１１と底板１４とを接合する接合部材としての蝶番１８により開閉自在とされており、前扉１１と底板１４の閉塞手段としての止め具１６，１６・・・を外して前扉１１を全開すると、前扉１１の内面が床面に対して段差のない案内面を形成するように構成されている（図３参照）。この案内面は、介護者が車椅子に座った要介護者を内袋２の内外へ出入りさせるときに通る通路として利用されるので、数十〜百ｋｇ相当の重さに耐え得る強度があれば前扉１１のみを用いてもよいし、前扉１１の補強が必要な場合には、図２に示すように、前扉１１を全開したときに前扉１１を下から支持できるような略直角三角形状の支持部材１１ａを前扉１１の外面に上下方向に設けるとともに、必要に応じて補強板１１ｂを前扉１１の外面に水平方向に設けることができる。
【００２２】
図４は、図１の内袋２を開いた状態を示す外観斜視図である。内袋２は、全体がシート材から構成され、浴槽ケース１内に収納された状態で、前記浴槽ケース１の周側板と略同形の周側部を有する有底かつ上方が開口した構成とされている。具体的には、内袋２は、前記浴槽ケース１の周側板の各面に対応して、前面部２１、右側面部２２、左側面部２３および背面部２４から構成される周側部を有するとともに、この周側部の下部が底面部３３で塞がれることにより構成されている。前面部２１、右側面部２２、左側面部２３、背面部２４および底面部３３の各端辺は、例えば、ミシン縫、高周波ウエルダーによる溶着などにより接合されている。
【００２３】
内袋２には、前面部２１の左右の辺２９，３０と、左右の側面部２２，２３の前端辺（図４中、点線で示したＸに相当する）との間に薄平面状の左右の折り畳み部２５，２５が連接されており、前面部２１を横たわった状態から垂直に起こしつつ、折り畳み部２５の後端下角部（図４中、Ｘの下端部に相当する）を折り目の端部として折り畳み部２５を内袋２の外側へ向けて折り曲げ、次いで立設した前面部２１へ向けて折り返して密着させることで、内袋２を箱状に形成できるように構成されているとともに、浴槽ケース１の前扉１１を全開したときには、折り畳み部２５を開くとともに、前面部２１を前方へ倒すことにより、前面部２１が前記案内面上に敷設できるように構成されている。
【００２４】
さらに詳細には、前記折り畳み部２５は、その一辺が前面部２１の高さに相当する略正方形とされており、前面部２１を横たわった状態から垂直に起こしつつ、折り畳み部２５の前端上角部と後端下角部（図４中、Ｘの下端部）とを結ぶ対角線を折り目Ｙとして、折り畳み部２５を内袋２の外側へ向けて折り曲げ、このとき形成される三角形の二辺のうち、上下方向の辺を折り目Ｘとして水平方向の辺を立設した前面部２１の上辺と一致するように折り返して密着させることで、内袋２を箱状に形成できるように構成されている（図５参照）。このような構成とすることにより、要介護者の入浴中に内袋２内に貯湯した湯が内袋２から漏れることを効果的に防止できる。
【００２５】
内袋２の周側部を構成する前面部２１、右側面部２２、左側面部２３および背面部２４の上部には、外側に折り曲げて形成された帯状鍔部２６，２６，・・・が設けられ、この帯状鍔部２６には内袋２の周方向に沿って図示しない引掛け輪２７を取り付けるための取付け孔２８，２８，・・・が形成されている。かかる帯状鍔部２６を設けることで、あらかじめ帯状鍔部２６が浴槽ケース１の周側板の上端に載置され、帯状鍔部２６の端が前記周側板の外側に突出しているので、引掛け輪２７をフック１４に引掛けるときの取付け作業性が向上する。
【００２６】
内袋２を構成するシート材としては、前記折り畳み部２５の優れた折り畳み作業性を確保する観点から、基布の表裏面を樹脂で被覆した、ターポリンと称される柔軟性、防水性のある複合シートが好ましい。基布の素材としては、例えば、木綿、麻などの天然繊維、ポリエステル繊維、ナイロン繊維、ビニロン繊維などの合成樹脂が挙げられ、これらは単独でまたは２種以上を組み合わせた混紡糸として用いることができる。本発明において基布とは、前記繊維を編織した編み物、織物、あるいは前記繊維を原料として製造した不織布をいい、織編物や不織布の種類、構造はターポリンとして柔軟性、防水性に優れるものであれば特に限定されないが、得られる内袋２の優れた寸法安定性を確保する観点から、ポリエステル繊維を用いることが特に好ましい。
【００２７】
前記基布の表裏面に被覆される樹脂としては、例えば、ポリエチレン、ポリプロピレン、塩化ビニル樹脂、エチレン−酢酸ビニル共重合体（ＥＶＡ）樹脂などが挙げられ、これらの中では、得られる内袋２の優れた軽量性、耐熱性および溶着部分の湯漏れ防止性を確保する観点から、ＥＶＡ樹脂が特に好ましい。前記ポリエステル繊維とＥＶＡ樹脂をそれぞれ基布と被覆樹脂として用いたシート材としては、例えば、ダイニック社製のＥＶＡターポリン（商品名）が好ましく用いられる。
【００２８】
図１の介護用浴槽を使用する場合には、図６に示すように、まず、介護者３１があらかじめ内袋２の前面部２１に設けた引掛け輪２７，２７をフック１４，１４から取り外して浴槽ケース１の前扉１１を全開させるとともに、内袋２の折り畳み部２５，２５を開きながら前面部２１を前方へ倒して、前面部２１を前扉１１の内面に形成された案内面上に敷き、次いで要介護者が座っている車椅子を前記案内面に沿って押すことにより、要介護者を内袋２の内部へ運び込む。このとき、内袋２の前面部２１には案内面上に押さえつけられる力が作用するため、この前面部２１と連接する左右の折り畳み部２５，２５はそれぞれ上部にいくほど外側へ向けて変形する。続いて内袋２の折り畳み部２５，２５を上述したように折り畳んで箱体としてから浴槽ケース１の前扉１１を起こして止め具１６を用いることにより前扉１１を閉める。そして、前面部２１に設けた引掛け輪２７，２７を前扉１１に設けたフック１４，１４に引掛けることにより、浴槽ケース１に対する内袋２の取付け作業を完了する。その後、ポンプ等適宜の液体移送手段を用いて内袋２の内部に湯を供給して適量の湯を貯湯した後要介護者３２を入浴させる（図７参照）。入浴終了後には、前記液体移送手段により湯を排水し、最後に要介護者３２を内袋２の内部へ運び込む作業と逆の作業により、要介護者を内袋２の外へ運び出す。
【００２９】
以上のように構成される図１の介護用浴槽によれば、介護者３１は、要介護者３２を入浴させるときに行う、前記案内面を利用して要介護者３２が座っている車椅子を押して内袋２の内部へ運び込む作業、内袋２を閉じた後前扉１１を閉じる作業、および入浴終了後に要介護者３２を運び出す前記と逆の作業がそれぞれ容易に行えるとともに、要介護者３２は、車椅子に座った状態で安心して入浴することができる。また、前記介護用浴槽は簡易な構成からなるので、浴槽ケース１と内袋２を合わせた価格はおよそ従来の１０分の１以下となり非常に安価に提供できる。
【００３０】
以上、本発明の詳細について説明したが、本発明の介護用浴槽は、図１に示した実施形態に限定されるものではなく、各種部材の大きさ、構造、配設位置などについては、本発明の要旨を逸脱しない範囲で適宜変更可能である。例えば、図４では折り畳み部２５は、その一辺が前面部２１の高さに相当する略正方形とされているが、四角形、多角形または扇形その他の形状を採用してもよい。また、浴槽ケース１の底板１４下面に取り付けたキャスター１７は、介護用浴槽を必要に応じて適宜の場所へ移動できる点で技術的意義を有し、また、浴槽ケース１の背板３の外面に取り付けた取っ手１９は、介護者３１が要介護者３２を浴槽の内外へ出入りさせやすい点で技術的意義を有するが、これらは本発明において必須部材ではなく必要に応じて設けられる部材である。
【００３１】
また、図１において、浴槽ケース１に対する内袋２の着脱手段として浴槽ケース１の周方向にフック１５が、内袋２の周方向に引掛け輪２７がそれぞれ設けているが、着脱手段としては、引掛け輪２７を取り付けずに取付け孔２８をフック１５に引掛けるようにしてもよいし、あるいは他の着脱手段を採用してもよい。さらに、図２において、浴槽ケース１の周側板は全体で方形とされているが、側板１２，１２と背板１３は必ずしも平面状にする必要はなく任意の形状を採用することができる。例えば、背板１３を外側に膨らむような円弧状に形成するとともに、その形に適合するように内袋２の背面部２４を円弧状としてもよい。かかる構成を採用することで、省スペースの周側板からなる浴槽ケース１を用いた場合であっても、要介護者３２の前方にある背板１３が外側に膨らむ円弧状とされているため、要介護者３２は足を伸ばしてリラックスした状態で入浴することができる。また、本発明の介護用浴槽には、入浴後の湯を排水するために、内袋２の任意の部分に栓付きの排水管を設け、この排水管を浴槽ケース１に設けた排水孔に挿通することにより、排水管の端部を介護用浴槽１の外部へ配設させることもできる。
【図面の簡単な説明】
【００３２】
【図１】本発明の介護用浴槽の一例を示す外観斜視図である。
【図２】図１の浴槽ケースの外観斜視図である。
【図３】図２の浴槽ケースの前扉を全開した状態を示す側面図である。
【図４】図１の内袋を開いた状態を示す外観斜視図である。
【図５】図４の折り畳み部の折り畳み途中の状態を示す外観斜視図である。
【図６】介護者が図１の浴槽内へ要介護者を運び込む状態を示す参考図である。
【図７】要介護者の入浴状態を示す参考図である。
【符号の説明】
【００３３】
１  浴槽ケース
１１  前扉
１２  側板
１３  背板
１４  底板
１５  フック
１６  止め具
１７  キャスター
１８  蝶番
１９  取っ手
２  内袋
２１  前面部
２２  右側面部
２３  左側面部
２４  背面部
３３  底面部
２５  折り畳み部
２６  帯状鍔部
２７  引掛け輪
２８  取付け孔
２９  右辺
３０  左辺
３１  介護者
３２  要介護者
Ｘ、Ｙ  折り目
【図１】
2005205003.tif 000003
【図２】
2005205003.tif 000004
【図３】
2005205003.tif 000005
【図４】
2005205003.tif 000006
【図５】
2005205003.tif 000007
【図６】
2005205003.tif 000008
【図７】
2005205003.tif 000009